(57)【要約】【課題】  外部から入力される画像データで構成される外部入力ジョブを、内部の読取装置で読み取られた画像データで構成される内部読取ジョブと同等の扱いで同一階層の保存領域に保存することができ、この同一の階層への保存によって、内部読取ジョブと外部入力ジョブとの区別なく、編集作業を行う。【解決手段】  画像形成装置１０の画像読取装置１４において、原稿画像から読み取った画像データ群である内部読取ジョブを保存するために設けられた階層構成の保存領域に、ＰＣ５０から入力される画像データ群である外部入力ジョブを、前記内部読取ジョブと同一階層に保存することができるため、一旦保存した外部入力ジョブを、画像形成装置１０側のユーザーインターフェイス７２による操作で、再度読み出して、プリントすることが可能となる。また、内部読取ジョブと外部読取ジョブとを合成することができ。【選択図】  図４
2006033524.tif 000002
【特許請求の範囲】
【請求項１】
少なくとも原稿画像を読み取る読取装置と、前記読取装置で読み取った画像データに基づいて記憶用紙に画像を複写する複写装置と、を備えた画像処理装置であって、
前記読取装置で読み取った画像データを内部読取ジョブとして、記憶媒体に設定された階層構造の所定の保存領域に保存する内部読取ジョブ保存手段と、
外部インターフェイスから入力され、前記複写装置によって複写される画像データからなる外部入力ジョブを、当該外部入力ジョブの属性情報と共に前記記憶媒体における前記内部読取ジョブの保存領域と同一階層の保存領域に共有保存する外部入力ジョブ保存手段と、
を有する画像処理装置。
【請求項２】
前記記憶媒体の所定の保存領域に保存された複数の内部読取ジョブ及び外部入力ジョブの区別なく、編集対応として指定して編集する編集手段をさらに有することを特徴とする請求項１記載の画像処理装置。
【請求項３】
前記属性情報には、前記外部入力ジョブのそれぞれの画像データの天地の向きを指定する情報が含まれることを特徴とする請求項１記載の画像処理装置。
【請求項４】
前記編集手段が、前記内部読取ジョブ及び外部入力ジョブを１つのジョブとして合成する機能を有することを特徴とする請求項２記載の画像処理装置。
【請求項５】
前記属性情報には、外部入力ジョブを構成する画像データの画素数情報が含まれ、前記内部読取ジョブを構成する画像データの画素数と異なるときは、何れか一方を他方に一致させるように余白を付加、或いは一部を切り取ることで画素数を合わせた後、合成することを特徴とする請求項４記載の画像処理装置。
【発明の詳細な説明】
【技術分野】
【０００１】
本発明は、少なくとも原稿画像を読み取る読取装置と、前記読取装置で読み取った画像データに基づいて記憶用紙に画像を複写する複写装置と、を備えた画像処理装置に関し、特に、外部から入力される画像データに基づいて複写可能な画像処理装置に関するものである。
【背景技術】
【０００２】
画像処理装置、特に、マルチファンクションプリンタ（以下、ＭＦＰという）では、自身が持つ読取装置で原稿画像を読み取って、画像形成エンジンを動作させ、静電潜像を形成すると共に、トナーを供給することで、記録用紙に画像を複写することが可能となっている（コピー機能）。
【０００３】
また、ＭＦＰでは、外部入力Ｉ／Ｆを備えており、例えば、ＬＡＮ等のネットワークに接続することで、同一ＬＡＮに接続されたホストコンピュータ（ＰＣやサーバー等）から、画像データを取得し、上記と同様に記録用紙へ画像を形成することが可能となっている（プリンタ機能）。
【０００４】
上記のようなＭＦＰには、ハードディスク等の大容量の記憶媒体を搭載したものがある。このハードディスクには、ユーザーの指定により読取装置で読み取った画像データをジョブ単位で保存しておくことができるようになっている（一例として、特許文献１参照）。
【０００５】
保存領域は、階層が構築されており、複数のフォルダの中にそれぞれ複数のファイルが設定され、前記ジョブは、１ジョブ１ファイルとして保存される。
【０００６】
フォルダ及びファイルには、それぞれフォルダ名及びファイル名が登録可能であり、ＭＦＰに設けたＵＩ（ユーザーインターフェイス）の表示画面に上位階層から順に下位階層へと切替表示ができるようになっている。
【０００７】
これにより、ユーザーは、簡単な操作で指定のファイルへのジョブの保存が可能となる。
【０００８】
また、保存されたジョブは、読み出して、再度複写することができ、さらに、複数のジョブを読み出して合成等の編集も可能となっている。なお、編集後のジョブは、新たなジョブとして、ファイルに保存することができる。
【０００９】
従って、一度複写した画像データを保存しておくことで、今後、再度複写する必要が生じた場合、読み取りのし直しが不要となり、作業効率を向上することができる。また、読み取り毎に異なる画質となるような不具合も解消することができる。
【００１０】
ところで、上記のような外部からの入力画像データ（外部入力ジョブ）に関しては、内部で読み取った画像データ（内部読取ジョブ）と同一の階層に保存することはなされていない。言い換えれば、外部入力ジョブを一時的に保存し、外部入力したジョブの管理者がＭＦＰの設置場所まで出向き、プリント指示を出すまでプリントを待機する、所謂セキュリティーの観点からの保存は存在した（特許文献２参照）。
【００１１】
なお、上記特許文献２は、ホストコンピュータ等の外部装置から入力される印字情報に基づいて、可視像形成を行うプリンタ装置等の画像形成装置において、制御は、入力された印字情報の保存を行うかどうかを判別し、それによって判別した印字情報を保存し、保存した印字情報の中から、可視像形成を行う印字情報を設定し、設定された可視像形成を行う印字情報を、先に保存した印字情報の中から判別する、というものである。
【特許文献１】特開２００１−３２２３１８公報
【特許文献２】特開平７−１４８９９７号公報
【発明の開示】
【発明が解決しようとする課題】
【００１２】
しかしながら、上記のような内部読取ジョブと同様の扱いで、同一の階層に保存することができず、外部入力ジョブに関しては、属性の変更等ができず、さらに、後で内部読取ジョブとの合成等の編集対象とすることはできなかった。
【００１３】
本発明は上記事実を考慮し、外部から入力される画像データで構成される外部入力ジョブを、内部の読取装置で読み取られた画像データで構成される内部読取ジョブと同等の扱いで同一階層の保存領域に保存することができ、この同一の階層への保存によって、内部読取ジョブと外部入力ジョブとの区別なく、編集作業を行うことができる画像処理装置を得ることが目的である。
【課題を解決するための手段】
【００１４】
本発明は、少なくとも原稿画像を読み取る読取装置と、前記読取装置で読み取った画像データに基づいて記憶用紙に画像を複写する複写装置と、を備えた画像処理装置であって、前記読取装置で読み取った画像データを内部読取ジョブとして、記憶媒体に設定された階層構造の所定の保存領域に保存する内部読取ジョブ保存手段と、外部インターフェイスから入力され、前記複写装置によって複写される画像データからなる外部入力ジョブを、当該外部入力ジョブの属性情報と共に前記記憶媒体における前記内部読取ジョブの保存領域と同一階層の保存領域に共有保存する外部入力ジョブ保存手段と、を有している。
【００１５】
本発明によれば、外部インターフェイスから入力される画像データは、読取装置で読み取られた画像データと同様に複写装置によって複写される。
【００１６】
このとき、外部入力ジョブ保存手段では、外部インターフェイスから入力される画像データを外部入力ジョブとして、外部入力ジョブの属性情報と共に前記記憶媒体における前記内部読取ジョブの保存領域と同一階層の保存領域に共有保存する。同一階層の保存領域に共有保存する、ということは、外部入力ジョブと内部読取ジョブとの区別がないということであり、外部入力ジョブを内部読取ジョブと同等の扱いが可能となる。従って、外部入力ジョブも、再度複写装置で複写する場合に、外部からの入力を待つことなく、保存領域に保存された外部入力ジョブを読み出して、処理すればよい。
【００１７】
また、上記本発明において、前記記憶媒体の所定の保存領域に保存された複数の内部読取ジョブ及び外部入力ジョブの区別なく、編集対応として指定して編集する編集手段をさらに有することを特徴としている。
【００１８】
記憶媒体の保存領域に保存される内部読取ジョブ及び外部入力ジョブの区別がないため、外部入力ジョブも編集手段による編集の指定対象とすることができる。
【００１９】
さらに、本発明において、前記属性情報には、前記外部入力ジョブのそれぞれの画像データの天地の向きを指定する情報が含まれることを特徴としている。
【００２０】
内部読取ジョブは、原稿画像を読み取り管理できるため、天地の向きは情報として保持している。これに対して、外部入力ジョブは、画像データのみが入力すると、その天地の向きが認識できない。そこで、属性情報に画像データの天地の向きを指定する情報を付加することで、保存後の複写指定の際に、誤った方向での複写を回避することができる。
【００２１】
また、本発明において、前記編集手段が、前記内部読取ジョブ及び外部入力ジョブを１つのジョブとして合成する機能を有することを特徴としている。
【００２２】
記憶媒体の保存領域に保存される内部読取ジョブ及び外部入力ジョブの区別がないため、この内部読取ジョブと、外部入力ジョブとを合成することが可能となる。
【００２３】
さらに、前記属性情報には、外部入力ジョブを構成する画像データの画素数情報が含まれ、前記内部読取ジョブを構成する画像データの主走査方向の画素数と異なるときは、何れか一方を他方に一致させるように余白を付加、或いは一部を切り取ることで画素数を合わせた後、合成することを特徴としている。
【００２４】
内部読取ジョブは、読取範囲がサイズ毎に一定であるため、画素数が統一化されており、内部読取ジョブ同士の合成では問題とならないが、外部入力ジョブの画素数はまちまちである。このため、合成時に主走査方向の画素数を揃える（一致させる）必要がある。そこで、何れか一方を他方に一致させるように余白を付加、或いは一部を切り取ることで画素数を合わせた後、合成することで、画像の大きさを統一することができる。なお、一般的には、一部を切り取るとその分、画像がもたらす情報を減らすことになるため、余白を付加することが好ましい。
【発明の効果】
【００２５】
以上説明した如く本発明では、外部から入力される画像データで構成される外部入力ジョブを、内部の読取装置で読み取られた画像データで構成される内部読取ジョブと同等の扱いで同一階層の保存領域に保存することができ、この同一の階層への保存によって、内部読取ジョブと外部入力ジョブとの区別なく、編集作業を行うことができるという優れた効果を有する。
【発明を実施するための最良の形態】
【００２６】
図１には、本実施の形態に係る画像処理装置としての画像形成装置１０を含む、画像形成ネットワークシステムが示されている。
【００２７】
画像形成装置１０は、筐体１２の上部に画像読取装置１４が設けられている。画像読取装置１４は、蓋体１６を備えており、この蓋体１６が読取原稿を読取位置へフィードするフィーダ１６Ａと、フィーダ１６Ａによって送り込まれ読み取りが完了し排出される原稿を回収する回収トレイ１６Ｂを兼用している。
【００２８】
すなわち、この蓋体１６の下部（筐体１２の上面）に透明ガラス板（図示省略）が設けられ、この透明ガラス板上に原稿が位置きめされることで、読取機構部が作動して、画像の読み取りが実行される。
【００２９】
筐体１２の下部は、複数の記録用紙１８（図２参照）を収容するトレイ２０が配設されており、このトレイ２０に収容された記録用紙１８が筐体１２の中央に設けられたエンジン部２２に送り込まれ、前記読取装置１６によって読み取られた画像データに基づいて、記録用紙１８上に画像が複写される構成である。
【００３０】
図２には、画像形成装置１０の内部の概略構成が示されている。筐体１２の中央部には、前述のエンジン部２２が配設されている。
【００３１】
エンジン部２２には、像担持体としての感光体ドラム２４が回転可能に配設されている。この感光体ドラム２４は、所定のプロセススピードで回転駆動される。
【００３２】
上記感光体ドラム２４の周面には、帯電器２６によって所定の電位に帯電された後、これ又感光体ドラム２４の直上の離れた位置に配置された光走査系としてのＲＯＳ（Raster Output Scanner）２８によって、レーザービーム（LB）による画像露光が施され、画像情報に応じた静電潜像が形成される。上記感光体ドラム２６上に形成された静電潜像は、現像器３０によって現像され、トナー像となる。
【００３３】
上記トナー像が形成されるにあたって感光体ドラム２４が回転する回数は、画像のサイズに応じて異なるが、例えば、Ａ４サイズであれば、感光体ドラム１１６が３回転することによって、１画像が形成される。
【００３４】
上記感光体ドラム２４上に順次形成されたトナー像は、転写位置（図２のＡ線矢視）を通過する際に、記録用紙１８上に転写される。
【００３５】
記録用紙１８は、図２に示すように、筐体１２の下部に配置された給紙部３２によってトレイ２０から、１枚ずつ捌かれた状態で給紙され、ベルト３４に搬送されながら、前記転写位置へと搬送され、当該転写位置で画像が転写される。
【００３６】
なお、感光体ドラム２４は、トナー像の転写後、クリーニング部３６によってクリーニングされ、次の画像形成のため帯電器２６で帯電される。
【００３７】
上記トナー像が転写された記録用紙１８は、定着器３８へと搬送され、この定着器３８によって加熱及び圧力でトナー像が記録用紙１８上に定着され、排出ロール４０によって排出される。
【００３８】
図１に示される如く、前記画像形成装置１０が接続されたネットワーク５１には、ＰＣ５２が接続されている。
【００３９】
このＰＣ５０では、前記画像形成装置１０に対応するプリンタドライバがインストールされており、当該画像形成装置１０を指定してプリントを指示することで、画像形成装置１０へネットワーク５１を介して画像データを伝送し、プリントすることができる。
【００４０】
図３には、画像形成装置１０とＰＣ５０の制御系の概略構成図が示されている。
【００４１】
画像形成装置１０は、メインコントローラ５２を備えており、このメインコントローラ５２には、Ｉ／Ｆ５４を介してネットワーク５１と接続されている。
【００４２】
前記Ｉ／Ｆ５４を介してネットワーク５１から画像データが入力されると、メインコントローラ５２では、例えば、画像データに含まれるプリント指示情報と、イメージデータとを解析し、エンジン部２２に適合する形式（例えば、ビットマップデータ）に変換し、画像形成処理制御部５６へ画像データを送出する。
【００４３】
画像形成処理制御部５６では、入力されたイメージデータに基づいて、光走査系コントロール部５８、駆動系コントロール部６０、帯電器コントロール部６２、現像器コントロール部６４、定着器コントロール部６６のそれぞれを同期制御し、エンジン部２２において、画像形成を実行する。
【００４４】
また、前記メインコントローラ５２には、前記画像読取部１４が接続されると共に、ハードディスク６８及びＭＯドライブ７０が接続されている。ＭＯドライブ７０には、ＭＯ７０Ａが着脱可能なスロットが設けられている。
【００４５】
さらに、メインコントローラ５２には、ユーザーインタフェイス７２が接続され、原稿画像の読取指示、読み取った画像データに基づく画像形成指示（コピー指示）、ハードディスク６８やＭＯ７０Ａに記憶された画像データ並びにＩ／Ｆ５４を介して外部から入力される画像データに基づく画像形成指示（プリント指示）等の操作を行うことが可能となっている。
【００４６】
また、このユーザーインターフェイス７２には、ハードディスク６８及びＭＯ７０Ａに記憶された画像データの状態が階層単位で表示されるようになっている。なお、この階層構造については後述する。
【００４７】
また、ネットワーク５１には、Ｉ／Ｆ７４を介して、前記ＰＣ５０のコントロール部を構成するＩ／Ｏ７６が接続されている。コントロール部は、Ｉ／Ｏ７６の他、ＣＰＵ７８、ＲＡＭ８０、ＲＯＭ８２及びこれらを接続するデータバスやコントロールバス等のバス８４によって構成されている。
【００４８】
Ｉ／Ｏ７６には、キーボード等の入力装置８６と、モニタ等の表示部８８が接続されている。
【００４９】
上記構成の画像形成ネットワークシステムにおいて、画像形成装置１０は、独自の画像読取装置１４による読み取りによって得られる画像データを内部読取ジョブとしてハードディスク６８又はＭＯ７０Ａに記憶することができるようになっている。この画像読取装置１４により読み取られる内部読取ジョブは、その読み取り解像度、天地の向き、画素数等の属性は常に一定であるため、予めメインコントローラ５２に記憶されている。
【００５０】
また、本実施の形態に係る画像形成装置１０では、前記ＰＣ５０からＩ／Ｆ７４、ネットワーク５１、Ｉ／Ｆ５４を介して伝送される画像データを外部入力ジョブとしてハードディスク６８又はＭＯ７０Ａに記憶することができる。この外部入力ジョブは、ＰＣ５０における画像処理によって解像度、天地の向き、画素数等の属性が異なる。そこで、外部入力ジョブに関しては、ハードディスク６８又はＭＯ７０Ａに記憶する場合に、画像データに属性情報を付加して記憶するようになっている。
【００５１】
以下、ハードディスク６８を例にとり、内部読取ジョブ及び外部入力ジョブの保存形態を説明する。
【００５２】
図４に示される如く、本実施の形態では、保存領域に階層を構築している。上位階層は複数のフォルダ１００で構成されており、それぞれにフォルダ名を付けることができる。
【００５３】
各フォルダ１００には、下位階層として複数のファイル１０２を有している。なお、フォルダ１００は、複数の階層で構成してもよい。
【００５４】
前記内部読取ジョブ及び外部入力ジョブは、それぞれ同等の扱いで、ファイル１０２単位で保存されるようになっている。すなわち、内部読取ジョブと外部入力ジョブとは、何ら区別なく、同一階層に保存されることになる。
【００５５】
また、本実施の形態の画像形成装置１０における、メインコントローラ５２（図３参照）は、ハードディスク６８（ＭＯ７０Ａを含む）に保存された内部読取ジョブ及び外部入力ジョブを対象として、編集することが可能となっている。編集には、上記ファイルへの保存の他、ファイルの複製、移動、合成、削除、回転等の機能があり、それぞれユーザーインターフェイス７２に表示されるタッチパネルへの操作によって、指示が可能となっている。
【００５６】
図５は、内部読取ジョブ又は外部入力ジョブのファイル１０２への保存の際に、ユーザーインターフェイス７２に最初に表示されるフォルダー一覧画面１０４を示している。
【００５７】
このフォルダー一覧画面１０４には、６種類のフォルダ１００を明示するフォルダ明示画面１０６が帯状に表示され、フォルダ名、ファイル数が表示される。フォルダ１００が７種類以上存在する場合には、所定のタッチパネルボタンを操作することで、次の６種類のフォルダ明示画面１０６が表示されるようになっている。
【００５８】
なお、図５では、Ｎｏ．１のフォルダ１００が選択されている（対応するフォルダ明示画面１０６の表示が反転している）。この選択後に、例えば画像読取装置１４（図１参照）によって読み取られた画像データ群（内部読取ジョブ）が新規ファイルとなって、選択されたフォルダ１００の下位階層のファイル１０２群に追加されるようになっている。
【００５９】
一方、ＰＣ５０の表示部８８には、プリント指示画面の下層ウィンドウの１つとして、図５に示すフォルダー一覧画面１０４と同様の画面が表示されるようになっており、入力装置８６による操作によって、これから伝送する画像データ群（外部入力ジョブ）に対して保存する場合に、上記と同様の操作を行う。
【００６０】
なお、内部読取ジョブ及び外部入力ジョブのそれぞれにおいて、例えば、コピー又はプリントのみを行う場合には、図５のフォルダー一覧画面１０４の上部の左から１番目のコピーボタン１０８を操作し、コピー又はプリントと同時にファイル保存する場合には、図５のフォルダー一覧画面１０４の上部の左から２番目のコピーとファイル保存ボタン１１０を操作し、ファイル保存のみする場合には、図５のフォルダー一覧画面１０４の上部の左から３番目のファイル保存ボタン１１２を操作する。
【００６１】
また、図５のフォルダー一覧画面１０４において、上部の右から２番目のファイル編集／プリントボタン１１４を操作すると、既にファイル１０２に保存された内部読取ジョブ及び外部入力ジョブの編集を行うことが可能となっている。
【００６２】
図６は、前記ファイル編集／プリントボタン１１４が操作され、図５の何れかのフォルダ１００が選択された場合の、ハードディスク６８内のファイル一覧画面１１６を示している。
【００６３】
このファイル一覧画面１１６の下部には、編集項目として、ＭＯに複製／移動ボタン１１８、ファイル合成／編集ボタン１２０、ファイル名変更ボタン１２２、ファイル削除ボタン１２４、ファイル順序並び替えボタン１２６、全ファイル選択／解除ボタン１２８（以下、総称する場合、編集ボタン１３０という）が表示されている。
【００６４】
編集は、ファイル１０２に対応して表示される帯状のファイル明示画面１３２を指定して、編集ボタン１３０の何れかを操作することで、それぞれの項目に基づいてユーザーインターフェイス７２の画面が切り替わるようになっている。
【００６５】
ここで、本実施の形態では、ファイル１０２に保存されるジョブは、内部読取ジョブ、外部入力ジョブの区別がないため、例えば、内部読取ジョブと外部入力ジョブとを選択して合成することが可能となっている。
【００６６】
図４に示される如く、外部入力ジョブが保存されるファイル１０２には、属性情報１０２Ａが付加されている。
【００６７】
この属性情報は、ＰＣ５０における画像処理に依存する、解像度、画素数、画像の天地の向き等の情報を含んでいる。すなわち、外部入力ジョブの画像データは、内部読取ジョブの画像データと異なり、解像度、画素数、天地の向きが必ずしも一定ではない（言い換えれば、内部読取ジョブは、画像読取装置１４での読取画像データであるため、全て一律となる。）。
【００６８】
そこで、内部読取ジョブと外部入力ジョブとを合成するような場合、特に画像の大きさに反映される画素数、画像の向きに反映される天地の向きが一致させるための情報が必要となる。このため、外部入力ジョブをファイル保存するとき、属性情報を付加しておくことで、合成後の整合をとる中間処理を実行するようにしている。
【００６９】
以下に本実施の形態の作用を説明する。
【００７０】
（内部読取ジョブ）
原稿画像の画像を読み取って複写画像（コピー）を生成する場合、当該原稿画像を画像読取装置１４の読取位置（透明ガラス板上）に位置決めし、基本的な操作（コピー枚数、拡大／縮小、用紙指定等）後、コピーボタン１０８を操作することで、画像読取装置１４が読み取りを開始し、次いでエンジン部２２が動作して、画像形成処理が実行される。
【００７１】
画像形成装置１０では、まず、感光体ドラム２４が所定の速度で回転駆動される。
【００７２】
その後、上記感光体ドラム２４の表面は、帯電器２６によって所定の電位に帯電された後、ＲＯＳ２８によって画像データに対応した画像露光が施され、静電潜像が形成される。この感光体ドラム２４上に形成された静電潜像は、現像器３０によって現像され、感光体ドラム２４の表面には、トナー像が形成される。
【００７３】
感光体ドラム２４の表面に形成されたトナー像は、転写位置において、搬送されてきた記録用紙１８に転写され、定着器３８を通過することで定着されて排出される。
【００７４】
ここで、読み取った画像データをコピーと共にファイル保存したい場合には、図５に示すフォルダー一覧画面１０４を表示して、保存したフォルダ１００を選択して、コピーとファイル保存ボタン１１０を操作する。
【００７５】
これにより、エンジン部２２による画像形成処理と共に、画像読取装置１４で読み取った画像データ群（内部読取ジョブ）を、選択したフォルダ１００の下位階層に新規のファイル１０２として保存する。
【００７６】
なお、ファイル名は、指定がない場合は日付等が仮ファイル名として登録され、コピー後に変更可能（ファイル編集／プリントボタン１１４の操作→ファイル合成／編集ボタン１２０の操作）である。
【００７７】
また、保存された内部読取ジョブは、前記ファイル編集／プリントボタン１１４を操作することで、ファイル名の変更の他、別の記憶媒体（ＭＯ７０Ａ）への複製／移動、他のファイルとの合成／編集、削除、並び替え等を行うことができる。これらは、全て画像形成装置１０のユーザーインターフェイス７４のタッチパネル表示画面のタッチ操作によって実行を指示することができる。
【００７８】
（外部入力ジョブ）
ＰＣ５０によって画像処理されが画像データを、同一のネットワーク５１に接続された画像形成装置１０を用いてプリントする場合、まず、表示部８８上に予めインストールされた画像形成装置１０のプリント動作を指示するためのプリント設定画面を表示する。
【００７９】
このプリント設定画面には、送信する画像データ群を外部入力ジョブとして、画像形成装置１０の記憶媒体（特に、ハードディスク６８）に保存するか否かを決める項目が表示されており、項目を指定すると、図５に示すような、フォルダー一覧画面１０４が表示される。このフォルダー一覧画面１０４は、画像形成装置１０のユーザーインターフェイス７２に表示されるフォルダー一覧画面と同一（或いは、ほぼ同一）であり、前記項目の指定の際に、画像形成装置１０へアクセスし、画像形成装置１０のハードディスク６８の最新の状態が表示される。
【００８０】
このフォルダー一覧画面１０４において、保存するフォルダ１００を選択し、ファイル保存ボタン１１２を操作し、元のプリント設定画面へ戻り、プリントを指示する。
【００８１】
これにより、ＰＣ５０からは、Ｉ／Ｆ７４、ネットワーク５１、Ｉ／Ｆ５４を介して、画像形成装置１０へ外部入力ジョブが送出される。
【００８２】
このＩ／Ｆ５４を介して入力される外部入力ジョブは、前記画像読取装置１４によって読み取った画像データと同様に、エンジン部２２が動作して、画像形成処理が実行される。
【００８３】
また、この画像形成処理と共に、外部入力ジョブは、前記内部読取ジョブと同一階層に保存される。これにより、外部入力ジョブに対して、再度プリントを行いたい場合、ＰＣ５０から送信することなく、画像形成装置１０のハードディスク６８等の記憶媒体から読み出すことで、プリントが可能である。
【００８４】
また、前記編集を行う場合、外部入力ジョブは、内部読取ジョブと区別なく編集対象として選択することができ、内部読取ジョブとの合成等も可能となる。このとき、外部入力ジョブには、属性情報が付加された状態で保存される。属性情報が付加されることで、内部読取ジョブとの合成時の整合をとる（中間処理）ことができる。
【００８５】
この中間処理の内、画素数の照合について説明すると、図７に示される如く、内部読取ジョブＪINと外部入力ジョブＪOUTを合成する場合、内部読取ジョブＪINの画像データの画素数は、前述のように、画像読取装置１４での読取画像データであるため、当該画像読取装置１４の画素数に依存したサイズ毎の一定値Ａとなる（図７（Ａ）参照）。
【００８６】
一方、外部入力ジョブＪOUTの画像データの画素数は、ＰＣ５０の画像処理に依存するため、サイズ毎でも不定値Ｂ1〜Ｂnとなる（図７（Ｂ）参照）。
【００８７】
この一定値と不定値とを比較・照合し、その差分を画素数が少ない方の画素データに余白として付加するか、画素数が多い方の画像データの一部（一端部又は両端部）をカットする。
【００８８】
例えば、一定値Ａ＞不定値Ｂnの場合、Ａ−Ｂn分の画素数を１／２ずつ左右に余白を設ける（図７（Ｃ）参照）。その後、内部読取ジョブと外部入力ジョブとを合成し、プリントする（図７（Ｄ）参照）。また、このことにより、記録用紙１８に複数のページをまとめてプリントすることも可能となる。
【００８９】
以上説明した如く本実施の形態では、画像形成装置１０の画像読取装置１４において、原稿画像から読み取った画像データ群である内部読取ジョブを保存するために設けられた階層構成の保存領域に、ＰＣ５０から入力される画像データ群である外部入力ジョブを、前記内部読取ジョブと同一階層に保存することができるため、一旦保存した外部入力ジョブを、画像形成装置１０側のユーザーインターフェイス７２による操作で、再度読み出して、プリントすることが可能となる。
【００９０】
また、内部読取ジョブと外部読取ジョブとを合成することができ、従来内部読取ジョブの文書と、外部読取ジョブのイメージとを合成する場合に、ＰＣ５０と画像形成装置１０との双方からの操作が必要であったのに対し、本実施の形態では、画像形成装置１０側のみでよくなり、作業効率を向上することができる。
【００９１】
さらに、外部入力ジョブに対して属性情報を付加したため、内部読取情報との合成の際の画素数な違い、天地の向き等の整合性をとることができる。
【図面の簡単な説明】
【００９２】
【図１】本実施の形態に係る画像形成装置を含むネットワークシステムの概略図である。
【図２】画像形成装置の内部構成を示す概略図である。
【図３】画像形成装置及びＰＣの制御系を示すブロック図である。
【図４】画像形成装置の保存領域に構築された階層図である。
【図５】画像形成装置のユーザーインターフェイス及びＰＣの表示装置に表示されるフォルダ一覧画面の正面図である。
【図６】画像形成装置のユーザーインタフェイスに表示されるファイル編集画面の正面図である。
【図７】内部読取ジョブと外部入力ジョブとの画素数の整合性をとる過程を示す流れ図である。
【符号の説明】
【００９３】
１０    画像形成装置
１２    筐体
１４    画像読取装置
１６    蓋体
１６Ａ    フィーダ
１６Ｂ    回収トレイ
１８    記録用紙
２０    トレイ
２２    エンジン部
２４    感光体ドラム
２６    帯電器
２８    ＲＯＳ
３０    現像器
３２  給紙部
３４    ベルト
３６    クリーニング部
３８    定着器
４０    排出ロール
５１    ネットワーク
５０    ＰＣ
５２    メインコントローラ（内部読取ジョブ保存手段、外部読取ジョブ保存手段）
５４    Ｉ／Ｆ
５６    画像形成処理制御
５８    光走査系コントロール部
６０    駆動系コントロール部
６２    帯電器コントロール部
６４    現像器コントロール部
６６    定着器コントロール部
６８    ハードディスク（記憶媒体）
７０    ＭＯドライブ
７０Ａ    ＭＯ（記憶媒体）
７２    ユーザーインタフェイス（編集手段）
７４    Ｉ／Ｆ
７６    Ｉ／Ｏ
７８    ＣＰＵ
８０    ＲＡＭ
８２    ＲＯＭ
８４    バス
８６    入力装置
８８    表示部
１００    フォルダ
１０２    ファイル
１０４    フォルダー一覧画面
１０６    フォルダ明示画面
１０８    コピーボタン
１１０    コピーとファイル保存ボタン
１１２    ファイル保存ボタン
１１４    ファイル編集／プリントボタン
１１６    ファイル一覧画面
１１８    複製／移動ボタン
１２０    ファイル合成／編集ボタン
１２２    ファイル名変更ボタン
１２４    ファイル削除ボタン
１２６    ファイル順序並び替えボタン
１２８    全ファイル選択／解除ボタン
１３０    編集ボタン
【図１】
2006033524.tif 000003
【図２】
2006033524.tif 000004
【図３】
2006033524.tif 000005
【図４】
2006033524.tif 000006
【図５】
2006033524.tif 000007
【図６】
2006033524.tif 000008
【図７】
2006033524.tif 000009